(57)【特許請求の範囲】
【請求項１】
回線に接続され一次側に電圧変動検出回路を有する通信制御回路と、前記通信制御回路の二次側回路に接続され通信データの変復調を行うモデムと、装置各部を制御するとともに省エネルギーモードを解除する主制御手段及び所定の待機時に省エネルギーモードに移行させ、省エネルギーモード解除要因が発生すると省エネルギーモードの解除信号を出力する省エネ制御手段とを備えたファクシミリ装置であって、
前記通信制御回路は、前記一次側に前記電圧変動検出回路の検出する電圧変動レベルを周波数に変換して、当該変換した電圧周波数変換信号を出力する電圧周波数変換回路を有し、
前記省エネ制御手段は、前記省エネルギーモード時に、前記通信制御回路の二次側回路、前記モデム及び前記主制御手段に対して電力の供給を停止し、前記通信制御回路の電圧周波数変換回路から電圧周波数変換信号が入力されると、当該電圧周波数変換信号の周波数を予めリンギング信号の電圧レベルを周波数変換したリンギング周波数と比較して、当該電圧周波数変換信号の周波数がリンギング周波数と同じであると、前記主制御手段に前記省エネ解除信号を出力して、前記省エネルギーモードを解除させることを特徴とするファクシミリ装置。
【発明の詳細な説明】
【０００１】
【発明の属する技術分野】
本発明は、ファクシミリ装置に関し、詳細には、電力消費をより削減する省エネルギーモード処理を行うとともに、回線からのリンギング信号で省エネルギーモードから適切に復帰するファクシミリ装置に関する。
【０００２】
【従来の技術】
パーソナルコンピュータ等の通信機能を備えた機器、特に、ファクシミリ装置においては、一般に、カードモデムに対応した小型化された通信チップとして、半導体ＤＡＡ（通信制御回路）が用いられており、この半導体ＤＡＡは、デジタル化された信号をシリアルデータとしてモデムとやりとりを行うようになっている。
【０００３】
したがって、パーソナルコンピュータ等の通信機能を備えた機器は、通常の動作待機状態においても、半導体ＤＡＡ及びモデムを起動待機状態とするために、電源の供給を行っている。
【０００４】
【発明が解決しようとする課題】
しかしながら、従来のファクシミリ装置は、通信チップとして半導体ＤＡＡを備えているときには、動作待機状態においても、半導体ＤＡＡ及びモデムを起動待機状態とするために、半導体ＤＡＡ及びモデムに対しても電源の供給を行っているため、待機時においても、常に電力を消費するという無駄が発生していた。
【０００５】
そこで、この発明は、省エネルギーモード時に、通信制御回路の二次側回路、モデム及び主制御手段に対しても、電力の供給を停止し、通信制御回路の一次側の電圧変動検出回路が回線の電圧変動を検出すると、省エネ制御手段が解除信号を主制御手段に出力して、省エネルギーモードを解除させることにより、回線からのリンギングを検出して省エネモードから復帰するために従来省エネルギーモード時に電源の供給を行っていた通信制御回路の二次側回路及びモデムに対しても電源の供給を停止して、より一層消費電力を削減するとともに、リンギング信号により適切に省エネルギーモードから復帰して通信を行うことのできるファクシミリ装置を提供することを目的としている。
【０００７】
また、通信制御回路の一次側に、電圧変動検出回路の検出する電圧変動レベルを周波数に変換して、当該変換した電圧周波数変換信号を出力する電圧周波数変換回路を設け、省エネ制御手段が、電圧周波数変換回路から電圧周波数変換信号が入力されると、当該電圧周波数変換信号の周波数を予めリンギング信号の電圧レベルを周波数変換したリンギング周波数と比較して、当該電圧周波数変換信号の周波数がリンギング周波数と同じであると、主制御手段に省エネ解除信号を出力することにより、より一層消費電力を削減するとともに、回線からのリンギング信号をより一層適切に検出して、リンギング信号によりより一層適切に省エネルギーモードから復帰して通信を行うことのできるファクシミリ装置を提供することを目的としている。
【０００８】
【課題を解決するための手段】
この発明のファクシミリ装置は、回線に接続され一次側に電圧変動検出回路を有する通信制御回路と、前記通信制御回路の二次側回路に接続され通信データの変復調を行うモデムと、装置各部を制御するとともに省エネルギーモードを解除する主制御手段及び所定の待機時に省エネルギーモードに移行させ、省エネルギーモード解除要因が発生すると省エネルギーモードの解除信号を出力する省エネ制御手段とを備えたファクシミリ装置であって、前記通信制御回路は、前記一次側に前記電圧変動検出回路の検出する電圧変動レベルを周波数に変換して、当該変換した電圧周波数変換信号を出力する電圧周波数変換回路を有し、前記省エネ制御手段は、前記省エネルギーモード時に、前記通信制御回路の二次側回路、前記モデム及び前記主制御手段に対して電力の供給を停止し、前記通信制御回路の電圧周波数変換回路から電圧周波数変換信号が入力されると、当該電圧周波数変換信号の周波数を予めリンギング信号の電圧レベルを周波数変換したリンギング周波数と比較して、当該電圧周波数変換信号の周波数がリンギング周波数と同じであると、前記主制御手段に前記省エネ解除信号を出力して、前記省エネルギーモードを解除させることを特徴とする。
【０００９】
上記構成によれば、省エネルギーモード時に、通信制御回路の二次側回路、モデム及び主制御手段に対しても、電力の供給を停止し、通信制御回路の一次側の電圧変動検出回路が回線の電圧変動を検出すると、省エネ制御手段が解除信号を主制御手段に出力して、省エネルギーモードを解除させるので、回線からのリンギングを検出して省エネモードから復帰するために従来省エネルギーモード時に電源の供給を行っていた通信制御回路の二次側回路及びモデムに対しても電源の供給を停止して、より一層消費電力を削減することができるとともに、リンギング信号により適切に省エネルギーモードから復帰して通信を行うことができる。
【００１３】
また、通信制御回路の一次側に、電圧変動検出回路の検出する電圧変動レベルを周波数に変換して、当該変換した電圧周波数変換信号を出力する電圧周波数変換回路を設け、省エネ制御手段が、電圧周波数変換回路から電圧周波数変換信号が入力されると、当該電圧周波数変換信号の周波数を予めリンギング信号の電圧レベルを周波数変換したリンギング周波数と比較して、当該電圧周波数変換信号の周波数がリンギング周波数と同じであると、主制御手段に省エネ解除信号を出力するので、より一層消費電力を削減することができるとともに、回線からのリンギング信号をより一層適切に検出して、リンギング信号によりより一層適切に省エネルギーモードから復帰して通信を行うことができる。
【００１４】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１５】
図１及び図２は、本発明のファクシミリ装置の第１の実施の形態を示す図である。
【００１６】
図１は、本発明のファクシミリ装置の第１の実施の形態を適用したファクシミリ装置１のブロック構成図であり、ＣＰＵ（Central Processing Unit ）２、省エネＣＰＵ３、ＤＡＡ（通信制御回路）４、モデム５、操作部６、排紙部７、プロッタ８及び給紙部９等を備えているとともに、図示しないが、ファクシミリ装置１として必要な各部、例えば、スキャナや符号化・復号化部等を備えている。
【００１７】
ＣＰＵ（主制御手段）２は、内部ＲＯＭに格納されているファクシミリ装置１としての基本処理プログラム及び後述する省エネ処理プログラム等の各種プログラムに基づいて、ファクシミリ装置１の各部を制御し、ファクシミリ装置１としての基本処理を実行するとともに、後述する省エネ制御処理を実行する。
【００１８】
省エネＣＰＵ（省エネ制御手段）３は、待機時等にファクシミリ装置１の各部の動作を監視し、また、操作部６による省エネモード（省エネルギーモード）への移行を指示する省エネキーの操作を監視して、所定時期に、ＣＰＵ２への５Ｖの電源の供給を停止させるとともに、ファクシミリ装置１の省エネＣＰＵ３にのみ電源を供給して、ＤＡＡ４の一次側回路１０を局給電で動作させて、その他の各部への電源の供給を停止させる省エネ処理を行い、また、後述するように、操作部６のキー操作が行われる等の省エネ解除要求及び通信回線Ｌからのリンギングがあると、ＣＰＵ２への５Ｖの電源の供給を再開するとともに、上記電源の供給を停止していた各部への電源の供給を再開する。すなわち、省エネモード時には、省エネＣＰＵ３にのみ電源が供給され、ＣＰＵ２、ＤＡＡ４の二次側回路１２、モデム５、操作部６、プロッタ８、スキャナ等のその他の各部には、電源の供給が停止されるとともに、ＤＡＡ４の一次側回路１０は、通信回線Ｌからの局給電で動作する。
【００１９】
ＤＡＡ４は、一次側回路１０、アイソレーション１１及び二次側回路１２等を備えており、一次側回路１０には、通信回線Ｌが接続されているとともに、リンギング信号検出回路１３を備えている。リンギング信号検出回路１３は、通信回線Ｌに接続され、通信回線Ｌ上のリンギング信号の有無を検出して、その検出信号をＣＰＵ２に出力するとともに、省エネモード時には、通信回線Ｌの電圧変動を検出して省エネＣＰＵ３に当該電圧変動を出力する電圧変動検出回路として機能する。
【００２０】
アイソレーション１１は、例えば、トランスが用いられており、通信回線Ｌと二次側回路１２との間でインピーダンス整合を取るとともに、一次側回路１０と二次側回路１２との間の絶縁を取りつつ、一次側回路１２と二次側回路１２との間で信号の授受を行う。
【００２１】
ＤＡＡ４の二次側回路１２には、モデム５が接続されており、モデム５は、スキャナで読み取られたデジタルの画像情報やＣＰＵ２から入力される各種プロトコル信号を通信回線Ｌ上に送信するために、アナログ信号に変調し、また、相手先から通信回線Ｌを介して送られてきたアナログ信号の画像情報や各種プロトコル信号を復調してデジタル信号に変換する。モデム５は、省エネＣＰＵ３に接続されている。
【００２２】
操作部６は、テンキー、スタートキー、ワンタッチキー及びファンクションキー等の各種操作キーを備えるとともに、ディスプレイ、例えば、液晶ディスプレイ等を備えており、操作キーからは、送信操作等の各種命令が入力されて、ＣＰＵ２がこのキー操作内容を取得する。操作部６のディスプレイは、ＣＰＵ２の制御下で、操作キーから入力された各種命令内容やファクシミリ装置１からオペレータに通知する各種情報が表示する。
【００２３】
排紙部７は、排出ローラ対及び記録紙トレイ等を備えており、ＣＰＵ２の制御下で、プロッタ８で画像の記録された記録紙を排出ローラで記録紙トレイ上に排出する。
【００２４】
プロッタ８としては、例えば、サーマル素子を利用したサーマル記録装置あるいは電子写真式記録装置等が使用されており、プロッタ８は、受信画情報やスキャナで読み取られた画情報を記録紙に記録出力する。
【００２５】
給紙部９は、図示しないが、複数枚の記録紙を収納する給紙カセット、給紙ローラ、レジストローラ対及び搬送ローラ等を備えており、ＣＰＵ２の制御下で動作して、給紙カセット内の記録紙を給紙ローラにより１枚ずつ分離して、レジストローラ対に送り出す。レジストローラ対は、給紙ローラにより送り出されてきた記録紙を所定のタイミング調整を行った後、プロッタ８方向に送り出し、搬送ローラが、レジストローラ対で送り出された記録紙をプロッタ８に搬送する。
【００２６】
次に、本実施の形態の作用を説明する。本実施の形態のファクシミリ装置１は、ＤＡＡ４を備えるとともに、省エネルギーを行う省エネモードを備えており、この省エネモード時に省エネＣＰＵ３にのみ電源を供して、ＣＰＵ２、ＤＡＡ４の二次側回路１２及びモデム５を含むその他の各部へのファクシミリ装置１本体からの電源の供給を停止し、通信回線Ｌからリンギングがあると、省エネモードを解除するところにその特徴がある。
【００２７】
すなわち、ファクシミリ装置１は、待機時等に、省エネＣＰＵ３が、ファクシミリ装置１の各部の動作を監視し、また、操作部６による省エネモード（省エネルギーモード）への移行を指示する省エネキーの操作を監視して、一定時間未動作状態が継続したり、省エネキーが操作されると、ＣＰＵ２への５Ｖの電源の供給を停止させるとともに、省エネＣＰＵ３にのみ電源を供給して、その他の各部への電源の供給を停止させる省エネ処理を行う。すなわち、省エネモード時には、ＣＰＵ２、ＤＡＡ４の二次側回路１２及びモデム５に対しても電源の供給を停止する。この省エネモードにおいては、ＤＡＡ４の一次側回路１０は、通信回線Ｌからの局給電のみで動作する。
【００２８】
省エネモード時に、通信回線Ｌからリンギング信号が入ると、電圧変動が生じ、ファクシミリ装置１は、図２に示すように、省エネモード時に、ＤＡＡ４内部のリンギング信号検出回路１３が、この電圧変動を認識すると（ステップＳ１０１）、モデム５への経路とパラレルに接続されている省エネＣＰＵ３に信号を送出する（ステップＳ１０２）。そして、省エネＣＰＵ３は、このリンギング信号検出回路１３からの信号を検出したかチェックし（ステップＳ１０３）、信号を検出しないと、ステップＳ１０１に戻って上記同様の処理を行う。
【００２９】
省エネＣＰＵ３は、ステップＳ１０３で、リンギング信号検出回路１３からの信号を検出すると、ＣＰＵ２に省エネ解除信号を出力して、ＣＰＵ２を起動させるとともに、リンギング信号があったことを認識する（ステップＳ１０４）。
【００３０】
ＣＰＵ２は、起動すると、モデム５及びその他のファクシミリ装置１のシステム全体を省エネルギー状態から復帰させ、ＤＡＡ４内部のリンギング信号検出回路１３から送出されるパルス信号を検出して、通信回線Ｌからリンギング信号がきたことを認識する（ステップＳ１０５）。
【００３１】
ＣＰＵ２は、リンギング信号を確認すると、通信動作に移行して、通常の通信処理を開始する（ステップＳ１０６）。
【００３２】
このように、本実施の形態のファクシミリ装置１は、省エネルギーモード時に、ＤＡＡ４の二次側回路１２、モデム５及びＣＰＵ２に対しても、電力の供給を停止し、ＤＡＡ４の一次側のリンギング信号検出回路１３が通信回線Ｌの電圧変動を検出すると、省エネＣＰＵ３が解除信号をＣＰＵ２に出力して、省エネルギーモードを解除させている。
【００３３】
したがって、従来省エネルギーモード時に電源の供給を行っていたＤＡＡ４の二次側回路１２及びモデム５に対しても電源の供給を停止して、より一層消費電力を削減することができるとともに、リンギング信号により適切に省エネルギーモードから復帰して通信を行うことができる。
【００３４】
図３は、本発明のファクシミリ装置の第２の実施の形態を適用したファクシミリ装置による省エネ解除処理を示すフローチャートである。
【００３５】
なお、本実施の形態は、上記第１の実施の形態のファクシミリ装置１と同様のファクシミリ装置に適用したものであり、本実施の形態の説明においては、必要に応じて、上記第１の実施の形態で用いた符号をそのまま用いて説明する。
【００３６】
本実施の形態のファクシミリ装置１は、通信回線Ｌからのリンギング信号以外の電圧変動で省エネＣＰＵ３が省エネ解除処理を行わないようにするところにその特徴がある。
【００３７】
そこで、本実施の形態のファクシミリ装置１は、そのＤＡＡ４の一次側回路１０にリンギング信号検出回路１３が設けられているが、このリンギング信号検出回路１３は、通信回線Ｌからの電圧変動を予め設定されたスレッシュレベルと比較して、当該スレッシュレベルを超える電圧変動があると、リンギング信号を検出したことを示すパルス信号（省エネ解除要請信号）を省エネＣＰＵ３に出力する電圧レベル検出回路（図示略）を内蔵している。
【００３８】
すなわち、図３に示すように、ファクシミリ装置１は、省エネモード時に、通信回線Ｌから電圧変動があると、リンギング信号検出回路１３が、当該電圧変動をリンギング信号検出用に予め設定された所定のスレッシュレベルと比較して、電圧変動が当該スレッシュレベルを超えているかチェックし（ステップＳ２０１）、電圧変動がスレッシュレベルを超えていないと、当該電圧変動はリンギング信号ではないとして、再度電圧変動の有無のチェックから同様に処理する。
【００３９】
ステップＳ２０１で、電圧変動がスレッシュレベルを超えていると、リンギング信号検出回路１３は、当該電圧変動はリンギング信号であるとして、パルス信号（省エネ解除要請信号）を省エネＣＰＵ３に送出する（ステップＳ２０２）。そして、省エネＣＰＵ３は、このリンギング信号検出回路１３からのパルス信号を検出したかチェックし（ステップＳ２０３）、信号を検出しないと、ステップＳ２０１に戻って上記同様の処理を行う。
【００４０】
省エネＣＰＵ３は、ステップＳ２０３で、リンギング信号検出回路１３からのパルス信号を検出すると、ＣＰＵ２に省エネ解除信号を出力して、ＣＰＵ２を起動させるとともに、リンギング信号があったことを認識する（ステップＳ２０４）。
【００４１】
ＣＰＵ２は、起動すると、モデム５及びその他のファクシミリ装置１のシステム全体を省エネルギー状態から復帰させ、ＤＡＡ４内部のリンギング信号検出回路１３から送出されるパルス信号を検出して、リンギング信号が通信回線Ｌからきたことを認識する（ステップＳ２０５）。
【００４２】
ＣＰＵ２は、リンギング信号を確認すると、通信動作に移行して、通常の通信処理を開始する（ステップＳ２０６）。
【００４３】
このように、本実施の形態のファクシミリ装置１は、ＤＡＡ４の一次側回路１０に、リンギング信号検出回路１３の検出する電圧変動レベルを検出して、当該検出した電圧変動レベルが予め設定された基準レベルを超えると、省エネＣＰＵ３に省エネ解除要請信号としてのパルス信号を出力する電圧レベル検出回路を設け、省エネＣＰＵ３が、当該電圧レベル検出回路からパルスが入力されると、ＣＰＵ２に省エネ解除信号を出力する。
【００４４】
したがって、より一層消費電力を削減することができるとともに、回線からのリンギング信号をより一層適切に検出して、リンギング信号によりより一層適切に省エネルギーモードから復帰して通信を行うことができる。
【００４５】
図４は、本発明のファクシミリ装置の第３の実施の形態を適用したファクシミリ装置による省エネ解除処理を示すフローチャートである。
【００４６】
なお、本実施の形態は、上記第１の実施の形態のファクシミリ装置１と同様のファクシミリ装置に適用したものであり、本実施の形態の説明においては、必要に応じて、上記第１の実施の形態で用いた符号をそのまま用いて説明する。
【００４７】
本実施の形態のファクシミリ装置１は、通信回線Ｌからのリンギング信号以外の電圧変動で省エネＣＰＵ３が省エネ解除処理を行わないようにするところにその特徴がある。
【００４８】
そこで、本実施の形態のファクシミリ装置１は、そのＤＡＡ４の一次側回路１０にリンギング信号検出回路１３が設けられているが、このリンギング信号検出回路１３は、電圧周波数変換回路を内蔵しており、通信回線Ｌからの電圧変動を当該電圧周波数変換回路で当該電圧変動レベルを周波数変換したパルス信号（電圧周波数変換信号）を省エネＣＰＵ３に出力する。省エネＣＰＵ３は、予めリンギング信号の電圧変動レベルを周波数変換した際のパルス信号の周波数（リンギング信号周波数）を記憶しており、リンギング信号検出回路１３から入力されるパルス信号の周波数をこのリンギング信号周波数と比較して、発生した電圧変動がリンギング信号であるか否かを判定して、省エネの解除処理を行うか否か制御する。
【００４９】
すなわち、図４に示すように、ファクシミリ装置１は、省エネモード時に、通信回線Ｌから電圧変動があるかチェックし（ステップＳ３０１）、ステップＳ３０１で、電圧変動があると、リンギング信号検出回路１３が、当該電圧変動レベルを電圧周波数変換回路で周波数変換したパルス信号（電圧周波数変換信号）を省エネＣＰＵ３に出力する（ステップＳ３０２）。
【００５０】
省エネＣＰＵ３は、このリンギング信号検出回路１３からパルス信号が送られてくると、当該パルス信号の周波数を予め記憶しているリンギング信号周波数と比較して一致するかチェックし（ステップＳ３０３）、一致しないと、当該電圧変動はリンギング信号ではないと判断して、ステップＳ３０１に戻って上記同様の処理を行う。
【００５１】
省エネＣＰＵ３は、ステップＳ３０３で、入力されたパルス信号の周波数とリンギング信号周波数が一致すると、当該電圧変動はリンギング信号であると判断して、ＣＰＵ２に省エネ解除信号を出力する等により、ＣＰＵ２を起動させるとともに、リンギング信号があったことを認識する（ステップＳ３０４）。
【００５２】
ＣＰＵ２は、起動すると、モデム５及びその他のファクシミリ装置１のシステム全体を省エネルギー状態から復帰させ、リンギング信号検出回路１３からのリンギング信号の確認を再度行うことなく、通信動作に移行して、通常の通信処理を開始する（ステップＳ３０５）。
【００５３】
このように、本実施の形態のファクシミリ装置１は、ＤＡＡ４の一次側回路１０に、リンギング信号検出回路１３の検出する電圧変動レベルを周波数に変換して、当該変換した電圧周波数変換信号であるパルス信号を出力する電圧周波数変換回路を設け、省エネＣＰＵ３が、電圧周波数変換回路からパルス信号が入力されると、当該パルス信号の周波数を予めリンギング信号の電圧レベルを周波数変換したリンギング周波数（リンギング信号周波数）と比較して、当該電圧周波数変換信号の周波数がリンギング周波数と同じであると、ＣＰＵ２に省エネ解除信号を出力する。
【００５４】
したがって、より一層消費電力を削減することができるとともに、回線からのリンギング信号をより一層適切に検出して、リンギング信号によりより一層適切に省エネルギーモードから復帰して通信を行うことができる。
【００５５】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００５６】
【発明の効果】
この発明のファクシミリ装置によれば、省エネルギーモード時に、通信制御回路の二次側回路、モデム及び主制御手段に対しても、電力の供給を停止し、通信制御回路の一次側の電圧変動検出回路が回線の電圧変動を検出すると、省エネ制御手段が解除信号を主制御手段に出力して、省エネルギーモードを解除させるので、回線からのリンギングを検出して省エネモードから復帰するために従来省エネルギーモード時に電源の供給を行っていた通信制御回路の二次側回路及びモデムに対しても電源の供給を停止して、より一層消費電力を削減することができるとともに、リンギング信号により適切に省エネルギーモードから復帰して通信を行うことができる。
【００５８】
また、通信制御回路の一次側に、電圧変動検出回路の検出する電圧変動レベルを周波数に変換して、当該変換した電圧周波数変換信号を出力する電圧周波数変換回路を設け、省エネ制御手段が、電圧周波数変換回路から電圧周波数変換信号が入力されると、当該電圧周波数変換信号の周波数を予めリンギング信号の電圧レベルを周波数変換したリンギング周波数と比較して、当該電圧周波数変換信号の周波数がリンギング周波数と同じであると、主制御手段に省エネ解除信号を出力するので、より一層消費電力を削減することができるとともに、回線からのリンギング信号をより一層適切に検出して、リンギング信号によりより一層適切に省エネルギーモードから復帰して通信を行うことができる。
【図面の簡単な説明】
【図１】本発明のファクシミリ装置の第１の実施の形態を適用したファクシミリ装置の要部回路ブロック図。
【図２】図１のファクシミリ装置による省エネ解除処理を示すフローチャート。
【図３】本発明のファクシミリ装置の第２の実施の形態を適用したファクシミリ装置による省エネ解除処理を示すフローチャート。
【図４】本発明のファクシミリ装置の第３の実施の形態を適用したファクシミリ装置による省エネ解除処理を示すフローチャート。
【符号の説明】
１  ファクシミリ装置
２  ＣＰＵ
３  省エネＣＰＵ
４  ＤＡＡ
５  モデム
６  操作部
７  排紙部
８  プロッタ
９  給紙部
１０  一次側回路
１１  アイソレーション
１２  二次側回路
１３  リンギング信号検出回路
【図１】
0003850214.tif 000002
【図２】
0003850214.tif 000003
【図３】
0003850214.tif 000004
【図４】
0003850214.tif 000005